(57)【特許請求の範囲】
【請求項１】
下地材を挟み付けて前記下地材上に固定される挟持金具を備え、前記挟持金具を介して屋根板を支持する屋根板取付け金具であって、
前記挟持金具が、前記下地材の幅方向で対峙する一対の挟持金具担体と、前記挟持金具担体同士を前記下地材の幅方向で締め付ける締結具を備え、
前記一対の挟持金具担体のそれぞれの上端部に、同一の一つの吊子を固定するための吊子ボルトが上方へ向けて立設された
屋根板取付け金具。
【請求項２】
前記一対の挟持金具担体のそれぞれについて、前記屋根板を受ける上段受け部と、前記上段受け部よりも下方に位置して前記吊子を受ける下段受け部が設けられるとともに、
前記下段受け部に前記吊子ボルトが立設された
請求項１に記載の屋根板取付け金具。
【請求項３】
前記挟持金具が、前記下地材の長手方向から見て線対称形状である
請求項１または請求項２に記載の屋根板取付け金具。
【請求項４】
前記挟持金具担体に、上下方向に延びる垂直片の下端から前記下地材の幅方向外側下方に向けて斜めに延びる傾斜片、前記傾斜片の下端から水平方向に延びる接地片、及び前記接地片の先端から下方へ曲がり前記下地材の幅方向の端部に係止する係止部を有する斜脚部と、
前記垂直片の下端から真下に延びる垂下片、及び前記垂下片の下端から水平方向に延びて前記下地材の上面に接する接地片を有する垂脚部が並設された
請求項１から請求項３のうちいずれか一項に記載の屋根板取付け金具。
【請求項５】
請求項１から請求項４のうちいずれか一項に記載の屋根板取付け金具を備えた
屋根構造。
【発明の詳細な説明】
【技術分野】
【０００１】
この発明は、下地材の上に屋根板を固定するための屋根板取付け金具に関し、より詳しくは、溶接せずに固定できる屋根板取付け金具に関する。
【背景技術】
【０００２】
屋根板を馳締めなどで固定する屋根板取付け金具では、屋根板を係止するための係止部材として吊子を上端部に固定する。これまで吊子の固定は１本のボルトによって行われてきた。溶接作業なしで固定できる屋根板取付け金具の場合でも同じであった（下記特許文献１参照）。
【０００３】
しかし、屋根に負圧が作用して吊子が上方へ引っ張られて変形し、これに伴って吊子を固定している屋根板取付け金具の上端部も変形したとき、その変形が著しい場合には、屋根板の係止が外れやすいものになってしまう。
【０００４】
下記特許文献２には、吊子に相当する部材を２か所で止めた金具が開示されているが、これは単に、固定箇所が２か所であるということにすぎない。
【先行技術文献】
【特許文献】
【０００５】
【特許文献１】特許第６３８３１２４号公報
【特許文献２】実開平４−８２２２４号公報
【発明の概要】
【発明が解決しようとする課題】
【０００６】
この発明は、負圧作用時に吊子固定部分の偏った変形を抑制できるようにすることを主な目的とする。
【課題を解決するための手段】
【０００７】
そのための手段は、下地材を挟み付けて前記下地材上に固定される挟持金具を備え、前記挟持金具を介して屋根板を支持する屋根板取付け金具であって、前記挟持金具が、前記下地材の幅方向で対峙する一対の挟持金具担体と、前記挟持金具担体同士を前記下地材の幅方向で締め付ける締結具を備え、前記一対の挟持金具担体のそれぞれの上端部に、同一の一つの吊子を固定するための吊子ボルトが上方へ向けて立設された屋根板取付け金具である。
【０００８】
この構成では、屋根に負圧が作用すると、一対の挟持金具担体にそれぞれ立設された吊子ボルトが吊子を介して上方に均等に引っ張られる。それぞれ引っ張られた挟持金具担体には、下地材を挟み付ける方向の力が作用する。
【発明の効果】
【０００９】
この発明によれば、負圧作用時に吊子固定部分の偏った変形を抑制できるうえに、引っ張りにより生じる力を下地材の固定に生かすことができる。この結果、屋根板の係止状態を維持できるとともに、屋根板取付け金具自体の固定も強固にすることができる。
【図面の簡単な説明】
【００１０】
【図１】屋根板取付け金具の固定状態の斜視図。
【図２】屋根構造の正面図。
【図３】屋根板取付け金具の分解斜視図。
【図４】挟持金具担体の正面図中央断面図。
【図５】下地材に対する取り付け方を示す側面図。
【図６】作用状態を示す側面図。
【発明を実施するための形態】
【００１１】
この発明を実施するための一形態を、以下図面を用いて説明する。
【００１２】
図１に、屋根板取付け金具１１（以下、「取付け金具」という）を下地材１２の上に固定した状態を示す。取付け金具１１は、下地材１２を挟み付けて下地材１２上に固定される挟持金具３１を備えており、挟持金具３１を介して、図２に示したように屋根板１３を支持して屋根構造を構成するものである。
【００１３】
下地材１２としてはＨ鋼が使用され、取付け金具１１はＨ鋼のフランジ１２ａにおける幅方向の両端部１２ｂをフランジ１２ａの幅方向で締め付けて固定される。
【００１４】
また、取付け金具１１の上部には、屋根板１３を取り付ける係止金具としての吊子１４と補助金具１５が取り付けられて、吊子１４の上端の係止縁１４ａに屋根板１３が馳締めされて固定される。
【００１５】
図２では、吊子１４の係止縁１４ａが丸馳である例を示したが、このほか例えば角馳など他の形状の係止縁１４ａであってもよい。
【００１６】
吊子１４は、係止縁１４ａを上端に有する縦に延びる垂直部１４ｂと、垂直部１４ｂの下端から水平方向に延びる水平部１４ｃを有しており、垂直部１４ｂと水平部１４ｃが取付け金具１１に面接触した状態で取り付けられる。
【００１７】
補助金具１５は吊子１４の水平部１４ｃの上に固定される固定板部１５ａと、固定板部１５ａにおける屋根の勾配方向に対応する方向の両端から上に延びて屋根板１３を受ける受け部１５ｂを有している。
【００１８】
前述したように取付け金具１１は、吊子１４が挟持金具３１に対して取り付けられる構造である。つまり、挟持金具３１を介して直接的に屋根板１３を支持する。
【００１９】
具体的に説明すると、挟持金具３１は、図３の分解斜視図に示したように、下地材１２の幅方向で対峙する一対の挟持金具担体３２，３３で構成され、挟持金具担体３２，３３同士を下地材１２の幅方向で締め付ける締結具６１を備えている。
【００２０】
一対の挟持金具担体３２，３３は、共に一枚の金属板で構成されており、図１に示したように挟持金具３１は、挟持金具担体３２，３３を背中合わせにして下地材１２を挟持している固定態様において下地材１２の長手方向から見て線対称な形状である。つまり、挟持金具担体３２，３３は左右の区別を有する形状であるが、同一の構成を有している。
【００２１】
挟持金具担体３２，３３は、所定幅の金属板をプレス加工で折り曲げたり切り欠いたりして製造されるものである。また締結具６１は、挟持金具担体３２，３３の一部を貫通するボルト６２と、ボルト６２に螺合するナット６３で構成される。
【００２２】
一対の挟持金具担体３２，３３のそれぞれの上端部には、同一の一つの吊子１４を固定するための吊子ボルト３４が上方へ向けて立設されている。具体的には、挟持金具担体３２，３３は上下方向に延びる平板上の垂直片３５を有し、垂直片３５の上端部には、屋根板１３を受ける上段受け部３６と、上段受け部３６よりも下方に位置して吊子１４を受ける下段受け部３７が形成されている。
【００２３】
上段受け部３６と下段受け部３７は、１つずつ形成され、共に水平に延びている。また上段受け部３６と下段受け部３７は、下地材１２の長手方向に対応する垂直片３５の幅方向に並んでいる。下地材１２の長手方向と直交する方向のうち屋根の勾配下側に位置する挟持金具担体３２は屋根の勾配上方に向かって左側に上段受け部３６が形成されている。一方、下地材１２の長手方向と直交する方向のうち屋根の勾配上側に位置する挟持金具担体３３は屋根の勾配下方に向かって右側に上段受け部３６が形成される。図２は屋根を勾配上方に向かって見た状態である。
【００２４】
吊子ボルト３４は下段受け部３７の中央に立設される。吊子ボルト３４の先端位置は上段受け部３６の上面位置よりも低い。
【００２５】
上段受け部３６と下段受け部３７を有する垂直片３５は、前述の締結具６１で締め付けられる部分である。垂直片３５は取付け金具１１の高さを考慮して適宜長さに形成され、幅方向の中間位置に、図３、図４に示したようにボルト６２を挿通するための角穴３５ａが形成されている。図４は挟持金具担体３２，３３の正面図中央縦断面図であり、上段受け部３６を有する側を示している。
【００２６】
垂直片３５の下には、下地材１２に対する固定のための構造として、斜脚部４１と垂脚部４２が並設されている。斜脚部４１と垂脚部４２は一体であり、下地材１２の長手方向に対応する方向に並んでいる。具体的には、枠状の斜脚部４１を有し、垂脚部４２は、その間に形成されている。換言すれば斜脚部４１が切り起こしにより形成されることで、斜脚部４１と垂脚部４２を並設している。
【００２７】
斜脚部４１は、傾斜片４３と接地片４４と係止部４５を有している。
【００２８】
傾斜片４３は、垂直片３５の下端から下地材１２の幅方向外側下方に向けて斜めに延びている。傾斜片４３は、垂直片３５より下側の部分を曲げて形成され、長さや傾斜角度は、荷重を支持することと、下地材１２に対する固定時に傾斜片４３の下端が下地材１２の幅内に収まることを考慮して適宜設定される。この傾斜片４３は、挟持金具担体３２，３３の幅方向の両側に間隔をあけて２本形成されている。
【００２９】
接地片４４は、傾斜片４３の下端から水平方向に延びている。この接地片４４は、図１、図５に示したように下地材１２の両端部１２ｂの上面に接するものであり、荷重を支える必要な大きさに形成されている。図４に示したように、２本に分かれている傾斜片４３の下端は接地片４４で一体になっている。
【００３０】
係止部４５は、接地片４４の先端から下方へ曲がって下地材１２の幅方向の端部１２ｂに係止するものである。係止部４５は、下地材１２の上面に接する接地片４４の先を下に曲げて、接地片４４と係止部４５で側面視Ｌ字をなす形に形成されている。つまり接地片４４と係止部４５を一つにした断面形状は下地材１２の両端部１２ｂの上面と下面と端面に嵌合するコ字状をなす。
【００３１】
このような接地片４４と係止部４５には、これらを覆う補強金具４６が備えられる。補強金具４６は、接地片４４及び係止部４５と同じ幅の金属板で構成され、接地片４４と係止部４５の表面を包み込むように接する上面板部４６ａ、縦面部４６ｂ及び下面板部４６ｃを有している。また、補強金具４６の上面板部４６ａの先端には、傾斜片４３の下端部に当接する当接支持片４６ｄが形成されている。
【００３２】
接地片４４等に対する補強金具４６の固定は、図４に示したように、上面板部４６ａと接地片４４と重ねた状態でかしめて、かしめ部４７を形成することによって行っている。このほか、例えばリベットや溶接などの適宜の手段を用いてもよい。
【００３３】
垂脚部４２は、垂直片３５の幅方向中間部の下端から真下に延びる垂下片４８と、垂下片４８の下端から水平方向に延びて下地材１２の上面に接する接地片４９を有している。垂下片４８と接地片４９は同一幅に形成され、幅方向の中間部には、表面又は上面に凸の補強リブ５１が膨出形成されている。補強リブ５１の上端は、締結具６１による締結に支障のない範囲で上方に延びている。
【００３４】
補強のための構造は、挟持金具担体３２，３３の幅方向の両端縁にも形成されている。すなわち、挟持金具担体３２，３３の幅方向の両端縁に、折り曲げによる補強リブ５２が形成されている。この補強リブ５２は、接地片４４から上段受け部３６と下段受け部３７に至るまで上下方向の全体にわたって一定幅に形成されている。補強リブ５２は接地片４４では上に向き、上段受け部３６と下段受け部３７では下に向き、垂直片３５と傾斜片４３では外側に向いている。下段受け部３７については、上段受け部３６に隣接する側にも、下に向けて延びる補強リブ５３が縁の折り曲げによって形成されている。
【００３５】
以上のように構成された取付け金具１１に供される吊子１４の水平部１４ｃと補助金具１５の固定板部１５ａは、取付け金具１１の吊子ボルト３４に対応してそれぞれ、図３に示したように２個の貫通穴１４ｄ，１５ｃを有している。貫通穴１４ｄ，１５ｃは、吊子ボルト３４を挿通した状態でも一対の挟持金具担体３２，３３を離間できるように長穴で形成されている。
【００３６】
このような取付け金具１１は、一対の挟持金具担体３２，３３同士を締結具６１で一体にした状態のまま、図５に示したように必要なだけ相互に離間して、接地片４４と係止部４５を下地材１２の両端部１２ｂに嵌める。
【００３７】
このとき、吊子１４が丸馳タイプの場合であっても、吊子１４を固定するための吊子ボルト３４に螺合するナット６５は緩められるように止めておく。挟持金具担体３２，３３同士を離間できるようにするためである。
【００３８】
接地片４４と係止部４５を下地材１２の両端部１２ｂに嵌めたのち、締結具６１を締め付けると、図６に示したような固定状態が得られる。
【００３９】
この取付け金具１１を備えた屋根構造において、上からの荷重が作用すると、挟持金具３１の斜脚部４１と垂脚部４２が締結具６１との協働でその荷重を支える。荷重の分散ができると共に広い面積で支持するので強固な支持ができる。
【００４０】
一方負圧が作用すると、図６に矢印Ａで示したように一対の挟持金具担体３２，３３にそれぞれ立設された吊子ボルト３４が吊子１４を介して上方に均等に引っ張られる。このため、挟持金具３１の吊子ボルト３４や下段受け部３７に偏った負荷がかかることを抑制できる。このため、挟持金具３１や吊子１４の甚だしい変形が起こることを回避して、屋根板１３の係止状態を維持し、屋根板１３が外れる可能性を低減できる。
【００４１】
そのうえ、それぞれ引っ張られた挟持金具担体３２，３３には、図６に矢印Ｂで示したように下地材１２を挟み付ける方向の力が作用する。このため、下地材１２に対する強固な固定状態を維持できる。
【００４２】
挟持金具担体３２，３３の上端部は、屋根板１３を受ける上段受け部３６と、吊子１４を受ける下段受け部３７を有し、吊子１４は下段受け部３７の上面と上段受け部３６の側面に面接触した状態で固定される。このため、吊子１４の固定態様の面からも、正圧にも負圧にも剛性を発揮し得る構成とすることができる。
【００４３】
しかも挟持金具３１は、下地材１２の長手方向から見て線対称形状であるので、偏った負荷がかかる可能性を極力排除できる。
【００４４】
そのうえ、一対の挟持金具担体３２，３３が左右の区別はあるものの同一構造であるので、一種類の金型で製造が行える。
【００４５】
また、挟持金具担体３２，３３は斜脚部４１と垂脚部４２が並設しており、しかもこれらを挟持金具担体３２，３３の幅方向に並べて一体に形成している。このため、挟持金具担体３２，３３の構造を簡素にすることができ、下地材１２の幅方向に並設する場合に比して、部品点数などの点において有利である。
【符号の説明】
【００４６】
１１…屋根板取付け金具
１２…下地材
１３…屋根板
１４…吊子
３１…挟持金具
３２，３３…挟持金具担体
３４…吊子ボルト
３５…垂直片
３６…上段受け部
３７…下段受け部
４１…斜脚部
４２…垂脚部
４３…傾斜片
４４…接地片
４５…係止部
６１…締結具
【要約】
【課題】負圧が作用したときに吊子を固定している部分に偏った変形が生じることを抑制して、堅固な屋根構造を得る。
【解決手段】下地材１２を挟み付けて下地材１２上に固定される挟持金具３１を備え、挟持金具３１を介して屋根板を支持する屋根板取付け金具１１において、挟持金具３１を、下地材１２の幅方向で対峙する一対の挟持金具担体３２，３３と、挟持金具担体３２，３３同士を下地材１２の幅方向で締め付ける締結具６１で構成する。一対の挟持金具担体３２，３３のそれぞれの上端部に、同一の一つの吊子１４を固定するための吊子ボルト３４を上方へ向けて立設する。
【選択図】図１【図１】
0006730761.tif 000002
【図２】
0006730761.tif 000003
【図３】
0006730761.tif 000004
【図４】
0006730761.tif 000005
【図５】
0006730761.tif 000006
【図６】
0006730761.tif 000007